(57)【特許請求の範囲】
【請求項１】
取付台の上にスライド自在に摺動型物を取り付け、該取付台と摺動型物の間に摺動型物がスライドすることでその電気的出力が変化する電気的機能部を設けて構成されるスライド式電子部品において、
前記取付台にはスライド方向に平行になるレールを設けると共にその所定位置に該レールを切り欠いてなる爪挿入部を設け、
一方前記摺動型物には前記爪挿入部に挿入してスライドすることで前記レールの下側にスライド自在に係止される係止爪を設け、
さらに前記摺動型物と取付台には、摺動型物を取付台上に載置して前記係止爪を前記爪挿入部に挿入した状態から摺動型物をスライドして係止爪をレールの下側に一旦位置せしめると逆方向にスライドさせても係止片が爪挿入部の位置まで移動しなくなる抜け防止機構を設けたことを特徴とするスライド式電子部品。
【請求項２】
前記抜け防止機構は、摺動型物と取付台にそれぞれ爪を設け、前記摺動型物の係止爪を前記取付台の爪挿入部に挿入した状態において摺動型物の爪と取付台の爪の対向する部分の少なくとも何れか一方の部分をテーパ面に形成して構成し、これによって摺動型物の係止爪を取付台の爪挿入部に挿入した状態から摺動型物をスライドさせた際に一方の爪が他方の爪のテーパ面上を摺接して乗り越えることで摺動型物を取付台に取り付けることを特徴とする請求項１記載のスライド式電子部品。
【発明の詳細な説明】
【０００１】
【発明の属する技術分野】
本発明はスライド式電子部品に関するものである。
【０００２】
【従来の技術】
従来、ケース内に摺動型物をスライド自在に収納し、且つ該摺動型物をその中立位置から弾発手段の弾発力に抗して一方の方向にスライド移動させると一方のスイッチがオンし、手を離すと前記弾発手段によって元の中立位置に自動復帰し、一方該摺動型物を手動によって中立位置から他方向に向けてスライド移動させるとクリック感覚を生じて他のスイッチがオンして手を離してもその位置に保持され、また該保持された位置から摺動型物を手動によって中立位置に戻す際もクリック感覚を生じる構造のスライド式電子部品がある。そしてこのスライド式電子部品は携帯機器などに用いられることなどから、さらなる小型化・薄型化が求められている。
【０００３】
【発明が解決しようとする課題】
しかしながら上記機能を有する従来の構造のスライド式電子部品には小型化・薄型化に限界があり、またさらなる小型化・薄型化を図ろうとするとその組み立てが煩雑になってしまうというような問題点があった。
【０００４】
本発明は上述の点に鑑みてなされたものでありその目的は、小型化・薄型化が図れるばかりか、構造が簡単で組み立ても容易に行なえるスライド式電子部品を提供することにある。
【０００５】
【課題を解決するための手段】
上記問題点を解決するため本発明は、取付台の上にスライド自在に摺動型物を取り付け、該取付台と摺動型物の間に摺動型物がスライドすることでその電気的出力が変化する電気的機能部を設けて構成されるスライド式電子部品において、前記取付台にはスライド方向に平行になるレールを設けると共にその所定位置に該レールを切り欠いてなる爪挿入部を設け、一方前記摺動型物には前記爪挿入部に挿入してスライドすることで前記レールの下側にスライド自在に係止される係止爪を設け、さらに前記摺動型物と取付台には、摺動型物を取付台上に載置して前記係止爪を前記爪挿入部に挿入した状態から摺動型物をスライドして係止爪をレールの下側に一旦位置せしめると逆方向にスライドさせても係止片が爪挿入部の位置まで移動しなくなる抜け防止機構を設けてスライド式電子部品を構成した。
また本発明は、前記抜け防止機構を、摺動型物と取付台にそれぞれ爪を設け、前記摺動型物の係止爪を前記取付台の爪挿入部に挿入した状態において摺動型物の爪と取付台の爪の対向する部分の少なくとも何れか一方の部分をテーパ面に形成して構成し、これによって摺動型物の係止爪を取付台の爪挿入部に挿入した状態から摺動型物をスライドさせた際に一方の爪が他方の爪のテーパ面上を摺接して乗り越えることで摺動型物を取付台に取り付けるように構成した。
【０００６】
【発明の実施の形態】
以下、本発明の実施形態を図面に基づいて詳細に説明する。
図１は本発明の一実施形態にかかるスライド式電子部品の分解斜視図である。同図に示すようにこのスライド式電子部品は、取付台１０と、フレキシブル基板４０と、摺動型物５０と、摺動子７０と、コイルバネ８０と、バネ押えカバー８５とを具備して構成されている。以下各構成部品について説明する。
【０００７】
ここで図２は取付台１０を反対方向から見た斜視図である。図１，図２に示すように取付台１０は合成樹脂の一体成形品であり、略長方形状の板体の周囲に縁部１１を設け、該縁部１１の両内側側辺に長手方向に延びる２本のレール１３，１５を設けて構成されている。
【０００８】
そして各レール１３，１５の対向する２か所ずつには、切欠き状の爪挿入部１７，１７，１９，１９が設けられている。
【０００９】
またレール１３上面の２つの爪挿入部１７，１７の間の部分と、レール１５上面の２つの爪挿入部１９，１９の間の部分のそれぞれ対向する位置には、１つずつの爪２１，２３が設けられている。これら爪２１，２３は、何れもその一方の側にテーパ面２１ａ，２３ａを設けた略三角形状に形成されている。
【００１０】
また各レール１３，１５の下側にはそれぞれ開口２５，２７が設けられている。
【００１１】
次に取付台１０の中央には、その長手方向が下記する摺動型物５０のスライド方向に向かうように、略Ｕ字状に屈曲する突起からなる弾発部材収納部２９が設けられている。そしてこの弾発部材収納部２９の開口３１近傍の内部には段部形状のバネ受け部３３が設けられている。また弾発部材収納部２９の両外側辺のそれぞれ対向する位置には、凹凸状の係止部３５，３５が設けられている。
【００１２】
また取付台１０の弾発部材収納部２９の両側には、それぞれ小突起３７，３７が突設されている。
【００１３】
次にフレキシブル基板４０は図１に示すように、合成樹脂フイルムの上面に所望のスイッチ用のパターン４１，４３，４５を印刷形成し、また前記弾発部材収納部２９に対向する位置に長孔４７を設けて構成されている。なお各パターン４１，４３，４５からは回路パターンが導出されているが、図面では省略している。
【００１４】
次に図３は摺動型物５０の平面図である。図１，図３に示すように摺動型物５０は、略長方形状に成形した合成樹脂の一体成形品であり、その上面中央につまみ５１を突設し、その一端辺５２から２本のアーム５３，５３を突出して設け、両アーム５３，５３の先端に内側方向に向けて弾接部５４，５４を設け、また該一端辺５２の両アーム５３，５３の中央位置から小突起を突設してなるバネ受け部５５を設けて構成されている。
【００１５】
またこの摺動型物５０の両側辺の前後２か所ずつには、下方向に向かって突出してその先端が外向きとなるようにＬ字状に折り曲げられてなる係止爪５７を設けている。また摺動型物５０の両側辺のそれぞれ前後の係止爪５７間の位置には、小さな爪５９，６１が外方向に向けて突出するように設けられている。
【００１６】
これら爪５９，６１は何れも三角形状であって一方の側にテーパ面５９ａ，６１ａを設けている。
【００１７】
またこの摺動型物５０の下面には、弾性金属板製の摺動子７０が取り付けられる。この摺動子７０は平板状の基部７１の一端部から突出する２本のアーム部７３，７３を下方向に折り曲げ、その先端を摺接部として構成されている。基部７１には固定用の小孔７７が設けられている。そして摺動子７０はその小孔７７に摺動型物５０下面に設けた図示しない小突起を挿入し、小突起先端を熱カシメすることによって固定される。
【００１８】
バネ押えカバー８５は金属板製であって、その両側に切欠き８７，８７を設け、またその一辺８９を上方向にテーパ状に折り曲げて構成されている。
【００１９】
次にこのスライド式電子部品の組み立て方法を説明する。まず取付台１０の上にフレキシブル基板４０を載置する。そのとき弾発部材収納部２９を長孔４７に貫通する。
【００２０】
次にフレキシブル基板４０の上に摺動子７０を取り付けた摺動型物５０を載置する。そのとき摺動型物５０の４つの係止爪５７を、それぞれ取付台１０の４つの爪挿入部１７，１７，１９，１９に挿入する。そのときの状態を図４に示す（但し図面の都合上、フレキシブル基板４０の記載は省略する。図５乃至図７においても同様）。同図に示すようにこのとき、摺動型物５０に設けた２つの爪５９，６１は、取付台１０に設けた２つの爪２１，２３の隣に位置し、両テーパ面５９ａ，２１ａと、両テーパ面６１ａ，２３ａとがそれぞれ対面している。
【００２１】
そしてこの状態から摺動型物５０を矢印Ａ方向にスライド移動させれば、２つの爪５９，６１が２つの爪２１，２３を押し広げながらこれを乗り越える。その際、爪５９，２１と爪６１，２３はテーパ面同士の当接なので、該乗り越えは可能である。これによって各係止爪５７はレール１３，１５の下側にスライド自在に係止される。
【００２２】
そしてさらに摺動型物５０を矢印Ａ方向にスライドさせて図５に示すように摺動型物５０の一端辺６５を取付台１０の縁部１１に当接させると、ちょうどそのときアーム５３，５３の両弾接部５４，５４が凹凸状の係止部３５，３５を乗り越えてその凹部に係合する。
【００２３】
そしてこの状態で弾発部材収納部２９内にコイルバネ８０を収納し、その上にバネ押えカバー８５を被せて、その切欠き８７，８７に小突起３７，３７を挿入しその先端を熱カシメすることで固定する。これによってこのスライド式電子部品が完成する。
【００２４】
図５に示す状態は摺動子７０がパターン４１，４３間をオンしている状態である。そして図５に示す状態から摺動型物５０を矢印Ｂ方向にスライド移動させると、両弾接部５４，５４が係止部３５，３５の凸部をクリック感覚を生じながら乗り越え、図６に示す位置になる。
【００２５】
この位置においては摺動子７０の一方のアーム部７３はパターン４１に当接しているが、他方のアーム部７３はパターン４３とパターン４５の間に位置してどのパターンにも当接していない状態である。なおこのときちょうど摺動型物５０のバネ受け部５５にコイルバネ８０の端部が当接する。
【００２６】
次に摺動型物５０をさらに矢印Ｂ方向にスライドさせると、摺動型物５０がコイルバネ８０を圧縮しながら爪５９，６１と爪２１，２３がそれぞれ当接する位置まで、即ち図７の位置まで移動する。爪５９，６１と爪２１，２３の当接は、テーパ面同士の当接ではなく、平面同士の当接なので、爪５９，６１が爪２１，２３を乗り越えることはできず、従って摺動型物５０はこの位置で確実に停止し、摺動型物５０が抜けて外れる恐れはない。なお図７に示す位置においては図１に示す摺動子７０の一方のアーム部７３はパターン４１に当接し、他方のアーム部７３はパターン４５に当接して両パターン間をオンしている。
【００２７】
そして該摺動型物５０から手を離せば、コイルバネ８０の弾発力によって摺動型物５０は図６に示す位置まで自動復帰するが、そのとき両弾発部５４，５４が係止部３５，３５の凸となっている部分に当接し、同時にコイルバネ８０は摺動型物５０を弾発しなくなるので、その位置で必ず停止し、図５に示す位置まで移動することはない。
【００２８】
つまりこのスライド式電子部品は、摺動型物５０をその中立位置（図６の状態）からコイルバネ８０の弾発力に抗して一方の方向（矢印Ｂ方向）にスライド移動させて図７に示す状態にすると一方のスイッチがオンし、手を離すと前記コイルバネ８０によって元の中立位置に自動復帰し、一方該摺動型物５０を手動によって図６に示す中立位置から他方向（矢印Ａ方向）に向けてスライド移動させて図５に示す状態にするとクリック感覚を生じて他のスイッチがオンして手を離してもその位置に保持され、また該保持された位置から摺動型物５０を手動によって中立位置に戻す際もクリック感覚を生じる構造となっている。
【００２９】
以上のようにこのスライド式電子部品によれば、上記複雑な動作を行なう機能を有するにもかかわらず、構造が簡単で部品点数も少なく、その小型化・薄型化が図れ、組み立ても容易に行なえ、摺動型物５０が外れる恐れもない。
【００３０】
以上本発明の実施形態を詳細に説明したが本発明はこの実施形態に限定されず、例えば以下のような種々の変形が可能である。
▲１▼上記実施形態では弾発部材収納部２９にコイルバネ８０を収納したが、伸縮性の大きいゴム材やスポンジ材など、他の種々の弾発部材を収納しても良い。
【００３１】
▲２▼上記実施形態では摺動型物５０に摺動子７０を取り付け、取付台１０側に設けたパターン４１，４３，４５上を摺動させることで電気的機能部を構成しているが、摺動型物側にパターンを設け取付台側に摺動子を取り付けて電気的機能部を構成しても良く、またさらに他の構造の電気的機能部を構成してもよい。また上記実施形態では電気的機能部をスライド式スイッチとして構成したが、スライド式可変抵抗器等で構成しても良いなど、種々の変形が可能である。要は取付台と摺動型物の間に摺動型物をスライドさせることでその電気的出力を変化する電気的機能部を設けるものであればどのような構造のものでも良い。
【００３２】
▲３▼上記実施形態では摺動型物５０の抜け防止機構として、摺動型物５０と取付台１０にそれぞれ爪５９，６１と爪２１，２３を設けることとしたが、他の機構によってその抜けを防止するようにしても良い。要は摺動型物を取付台上に載置して係止爪を爪挿入部に挿入した状態から摺動型物をスライドして係止爪をレールの下側に一旦係止すると逆方向には移動しなくなる機構の抜け防止機構であればどのような機構であっても良い。
【００３３】
▲４▼また上記実施形態では爪５９，６１と爪２１，２３の全てにテーパ面５９ａ，６１ａ，２１ａ，２３ａを設けたが、爪５９，６１だけ、又は爪２１，２３だけにテーパ面を設けても良い。要は摺動型物５０の係止爪５７を取付台１０の爪挿入部１７，１７，１９，１９に挿入した状態において摺動型物５０の爪５９，６１と取付台１０の爪２１，２３の対向する部分の少なくとも何れか一方の部分をテーパ面に形成して構成するものであれば良い。
【００３４】
▲５▼また上記実施形態では摺動型物が３か所で停止し、且つ中立位置から一方にスライドしたときはクリック感覚が生じ、他方にスライドしたときはスライドした位置から手を離すと摺動型物が自動復帰するように構成したが、本発明はこのような動作をする以外の各種動作をするスライド式電子部品にも適用できる。要は取付台の上にスライド自在に摺動型物を取り付け、該取付台と摺動型物の間に摺動型物がスライドすることでその電気的出力が変化する電気的機能部を設けて構成されるスライド式電子部品であればどのような構造のものでも良い。
【００３５】
【発明の効果】
以上詳細に説明したように本発明にかかるスライド式電子部品によれば、構造が簡単で部品点数も少なく、その小型化・薄型化が図れ、組み立ても容易に行なえ、摺動型物が外れる恐れもなくなるという優れた効果を有する。
【図面の簡単な説明】
【図１】本発明の一実施形態にかかるスライド式電子部品の分解斜視図である。
【図２】取付台１０を反対方向から見た斜視図である。
【図３】摺動型物５０の平面図である。
【図４】スライド式電子部品の組み立て方法を示す平面図である。
【図５】スライド式電子部品の動作説明図である。
【図６】スライド式電子部品の動作説明図である。
【図７】スライド式電子部品の動作説明図である。
【符号の説明】
１０  取付台
１３，１５  レール
１７，１７，１９，１９  爪挿入部
２１，２３  爪（抜け防止機構）
２１ａ，２３ａ  テーパ面（抜け防止機構）
２９  弾発部材収納部
３５  係止部
４０  フレキシブル基板（電気的機能部）
５０  摺動型物
５３  アーム
５７  係止爪
５９，６１  爪（抜け防止機構）
５９ａ，６１ａ  テーパ面（抜け防止機構）
７０  摺動子（電気的機能部）
８０  コイルバネ（弾発部材）
８５  バネ押えカバー
【図１】
0003710289.tif 000002
【図２】
0003710289.tif 000003
【図３】
0003710289.tif 000004
【図４】
0003710289.tif 000005
【図５】
0003710289.tif 000006
【図６】
0003710289.tif 000007
【図７】
0003710289.tif 000008